【手続補正書】
【提出日】平成17年6月13日(2005.6.13)
【手続補正１】
【補正対象書類名】明細書
【補正対象項目名】発明の名称
【補正方法】変更
【補正の内容】
【発明の名称】情報処理装置、情報処理システム、情報処理方法、記憶媒体、プログラム及び画像処理装置
【手続補正２】
【補正対象書類名】明細書
【補正対象項目名】特許請求の範囲
【補正方法】変更
【補正の内容】
【特許請求の範囲】
【請求項１】
情報を暗号化して記憶手段に記憶し、当該記憶手段内の暗号化情報を復号化して出力する情報処理装置であって、
所定情報を入力する入力手段と、
上記入力手段により入力された第１の所定情報及び本装置固有の情報に基づいて、対象情報を暗号化する暗号化手段と、
上記暗号化手段により得られた暗号化情報を記憶する記憶手段と、
上記入力手段により入力された上記第１の所定情報と同等の情報である第２の所定情報及び本装置固有の情報に基づいて、上記記憶手段内の暗号化情報を復号化する復号化手段とを備えることを特徴とする情報処理装置。
【請求項２】
上記所定情報は、所定のユーザに関する情報を含むことを特徴とする請求項１に記載の情報処理装置。
【請求項３】
上記出力は、印刷出力を含むことを特徴とする請求項１に記載の情報処理装置。
【請求項４】
上記暗号化手段に対する暗号化情報、及び上記復号化手段に対する復号化情報を記憶する情報記憶手段を備え、
上記暗号化手段は、上記情報記憶手段内の暗号化情報に基づいて、対象情報を暗号化し、
上記復号化手段は、上記情報記憶手段内の復号化情報に基づいて、上記記憶手段内の暗号化情報を復号化することを特徴とする請求項１に記載の情報処理装置。
【請求項５】
上記記憶手段が本装置から切り離されたか否かに基づいて、上記情報記憶手段内の情報を消去する情報消去手段と、
上記記憶手段が本装置から切り離されたか否かに基づいて、上記暗号化手段に対する暗号化情報、及び上記復号化手段に対する復号化情報を生成する情報生成手段とを備え、
上記情報記憶手段は、上記情報生成手段で生成された情報を記憶することを特徴とする請求項４に記載の情報処理装置。
【請求項６】
入力情報を解析する解析手段と、
上記解析手段の解析結果に基づいて、上記入力情報から上記暗号化手段で暗号化する対象情報を生成する生成手段とを備えることを特徴とする請求項４に記載の情報処理装置。
【請求項７】
複数の機器が互いに通信可能に接続されてなる情報処理システムであって、
上記複数の機器のうち少なくとも１つの機器は、請求項１乃至６のいずれか１項に記載の情報処理装置の機能を有することを特徴とする情報処理システム。
【請求項８】
情報を暗号化して記憶手段に記憶し、当該記憶手段内の暗号化情報を復号化して出力するための情報処理方法であって、
所定情報を入力する入力ステップと、
上記入力ステップにより入力された第１の所定情報及び上記記憶手段を有する装置或いはシステム固有の情報に基づいて、対象情報を暗号化する暗号化ステップと、
上記暗号化ステップにより得られた暗号化情報を上記記憶手段に記憶する記憶ステップと、
上記入力ステップにより入力された上記第１の所定情報と同等の情報である第２の所定情報及び上記記憶手段を有する装置或いはシステム固有の情報に基づいて、上記記憶手段内の暗号化情報を復号化する復号化ステップとを含むことを特徴とする情報処理方法。
【請求項９】
印刷データを外部入力する入力ステップと、
上記入力ステップにより入力された印刷データを解析し、当該解析結果に基づき描画情報を生成する解析ステップと、
上記解析ステップにより得られた描画情報に基づいてビットマップ画像を生成する印刷画像描画ステップと、
上記印刷画像描画ステップにより得られた個々のビットマップ画像を１ページ分のビットマップ画像として保持するページ画像記憶ステップと、
上記ページ画像記憶ステップにより保持された１ページ分のビットマップ画像を紙媒体上に印刷出力する印刷ステップと、
機器固有の情報を記憶する機器固有情報記憶ステップと、
所定のユーザが所持するユーザカードからユーザ情報を読み取るユーザ情報取得ステップと、
ユーザからの印刷指示を入力するユーザ印刷指示入力ステップと、
上記機器固有情報記憶ステップにより記憶された機器固有情報、及び上記ユーザ情報取得ステップにより得られたユーザ情報に基づいて、上記ページ画像記憶ステップにより保持された１ページ分のビットマップ画像を暗号化するビットマップ画像暗号化ステップと、
上記ビットマップ画像暗号化ステップにより暗号化されたビットマップ画像を複数ページ分記憶する画像集約記憶ステップと、
上記画像集約記憶ステップにより記憶されている暗号化ビットマップ画像を、上記機能固有情報記憶ステップにより記憶された機器固有情報、及び上記ユーザ情報取得ステップにより得られたユーザ情報に基づいて復号化するビットマップ画像復号化ステップとを含み、
上記印刷ステップは、上記ユーザ印刷指示入力ステップによる印刷指示に基づいて、上記画像集約記憶ステップにより記憶されている暗号化ビットマップ画像を、上記ビットマップ画像復号化ステップにより復号化して印刷出力するステップを含むことを特徴とする情報処理方法。
【請求項１０】
上記ビットマップ画像暗号化ステップでの暗号化処理のための所定情報、及び上記ビットマップ画像復号化ステップでの復号化処理のための所定情報を記憶する暗号／復号情報記憶ステップを含み、
上記ビットマップ画像暗号化ステップは、上記暗号／復号情報記憶ステップにより記憶された暗号化処理のための所定情報に基づき、上記ページ画像記憶ステップにより保持された１ページ分のビットマップ画像を暗号化するステップを含み、
上記ビットマップ画像復号化ステップは、上記暗号／復号情報記憶ステップにより記憶された復号化処理のための所定情報に基づき、上記画像集約記憶ステップにより記憶されている暗号化ビットマップ画像を復号化するステップを含むことを特徴とする請求項９に記載の情報処理方法。
【請求項１１】
上記暗号／復号情報記憶ステップにより記憶される情報を生成する情報生成ステップと、
上記暗号／復号情報記憶ステップにより記憶された情報を消去する情報消去ステップと、
上記画像集約記憶ステップにより暗号化ビットマップ画像が記憶される記憶手段の切り離し検出する検出ステップとを含み、
上記情報消去ステップは、上記検出ステップにより、上記記憶手段が切り離されたことが検出された場合、上記暗号／復号情報記憶ステップにより記憶された情報を消去するステップを含み、
上記情報生成ステップは、上記検出ステップにより、上記記憶手段が切り離されたことが検出された場合、上記暗号／復号情報記憶ステップにより記憶される情報を生成するステップを含むことを特徴とする請求項９に記載の情報処理方法。
【請求項１２】
コンピュータを所定の手段として機能させるためのプログラムであって、
上記所定の手段は、情報を暗号化して記憶手段に記憶し、当該記憶手段内の暗号化情報を復号化して出力する手段であって、
所定情報を入力する入力手段と、
上記入力手段により入力された第１の所定情報及び上記記憶手段を有する装置或いはシステム固有の情報に基づいて、対象情報を暗号化する暗号化手段と、
上記暗号化手段により得られた暗号化情報を記憶する記憶手段と、
上記入力手段により入力された上記第１の所定情報と同等の情報である第２の所定情報及び上記装置或いはシステム固有の情報に基づいて、上記記憶手段内の暗号化情報を復号化する復号化手段とを備えることを特徴とするプログラム。
【請求項１３】
コンピュータを所定のステップを実行させるためのプログラムであって、
上記所定のステップは、
印刷データを外部入力する入力ステップと、
上記入力ステップにより入力された印刷データを解析し、当該解析結果に基づき描画情報を生成する解析ステップと、
上記解析ステップにより得られた描画情報に基づいてビットマップ画像を生成する印刷画像描画ステップと、
上記印刷画像描画ステップにより得られた個々のビットマップ画像を１ページ分のビットマップ画像として保持するページ画像記憶ステップと、
上記ページ画像記憶ステップにより保持された１ページ分のビットマップ画像を紙媒体上に印刷出力する印刷ステップと、
機器固有の情報を記憶する機器固有情報記憶ステップと、
所定のユーザが所持するユーザカードからユーザ情報を読み取るユーザ情報取得ステップと、
ユーザからの印刷指示を入力するユーザ印刷指示入力ステップと、
上記機器固有情報記憶ステップにより記憶された機器固有情報、及び上記ユーザ情報取得ステップにより得られたユーザ情報に基づいて、上記ページ画像記憶ステップにより保持された１ページ分のビットマップ画像を暗号化するビットマップ画像暗号化ステップと、
上記ビットマップ画像暗号化ステップにより暗号化されたビットマップ画像を複数ページ分記憶する画像集約記憶ステップと、
上記画像集約記憶ステップにより記憶されている暗号化ビットマップ画像を、上記機器固有情報記憶ステップにより記憶された機器固有情報、及び上記ユーザ情報取得ステップにより得られたユーザ情報に基づいて復号化するビットマップ画像復号化ステップとを含み、
上記印刷ステップは、上記ユーザ印刷指示入力ステップによる印刷指示に基づいて、上記画像集約記憶ステップにより記憶されている暗号化ビットマップ画像を、上記ビットマップ画像復号化ステップにより復号化して印刷出力するステップを含むことを特徴とするプログラム。
【請求項１４】
請求項１２又は１３に記載のプログラムを記録したことを特徴とするコンピュータ読み取り可能な記憶媒体。
【請求項１５】
外部より印刷データを受信する受信手段と、
前記入力手段により入力された印刷データを解析しビットマップ画像を生成する解析描画手段と、
前記解析描画手段により生成されたビットマップ画像を記憶する記憶手段と、
前記記憶手段に記憶された前記ビットマップ画像を暗号化し、前記記憶手段に記憶する暗号化手段とを有することを特徴とする画像処理装置。
【請求項１６】
更に、所定情報を入力する入力手段を有し、
前記暗号化手段は、当該機器固有の情報と、前記所定情報とを用いて前記ビットマップ画像を暗号化することを特徴とする請求項１５に記載の画像処理装置。
【請求項１７】
更に、前記暗号化手段によって暗号化されたビットマップ画像を、前記機器固有の情報と入力手段から入力される前記所定情報と同等の情報である第２所定情報とに基づいて復号する復号化手段を有することを特徴とする請求項１６に記載の画像処理装置。
【請求項１８】
更に、前記ビットマップ画像を印刷出力する印刷手段を有することを特徴とする請求項１５乃至１７のいずれか１項に記載の画像処理装置。
【請求項１９】
前記印刷データは、前記解析描画手段が生成したビットマップ画像を直接印刷するか、前記記憶手段に記憶するかを指定する処理属性情報を有し、
前記受信手段が受信した印刷データが直接印刷を指定する属性情報を有していた場合には、前記解析描画手段が生成した当該印刷データのビットマップ画像を前記暗号化手段で暗号化することなく前記印刷手段で印刷出力し、前記受信手段が受信した印刷データが前記記憶手段に記憶することを指定する属性情報を有していた場合には、前記暗号化手段は前記解析描画手段が生成したビットマップ画像を暗号化して前記記憶手段に記憶することを特徴とする請求項１５乃至１８のいずれか１項に記載の画像処理装置。
【請求項２０】
前記所定情報はユーザ固有の情報であることを特徴とする請求項１６乃至１９のいずれか１項に記載の画像処理装置。
【手続補正３】
【補正対象書類名】明細書
【補正対象項目名】０００１
【補正方法】変更
【補正の内容】
【０００１】
【発明の属する技術分野】
本発明は、例えば、ハードディスク記憶装置等の不揮発性大容量補助記憶装置を有し、ホストコンピュータ等と接続され、文章や映像等の画像データを受信、或いは外部装置から画像情報を入力して印刷処理する装置或いはシステムに用いられる、情報処理装置、情報処理システム、情報処理方法、それを実施するためのプログラムを記憶したコンピュータ読み取り可能な記憶媒体、当該プログラム、及び画像処理装置に関するものである。
【手続補正４】
【補正対象書類名】明細書
【補正対象項目名】００１３
【補正方法】変更
【補正の内容】
【００１３】
そこで、本発明は、上記の欠点を除去するために成されたもので、印刷出力等の出力対象となる情報の機密性を向上させることを可能にした、情報処理装置、情報処理システム、情報処理方法、それを実施するためのプログラムを記憶したコンピュータ読み取り可能な記憶媒体、当該プログラム、及び画像処理装置を提供することを目的とする。
【手続補正５】
【補正対象書類名】明細書
【補正対象項目名】００２５
【補正方法】変更
【補正の内容】
【００２５】
＜画像処理装置１００の構成＞
画像処理装置１００は、画像処理装置１００全体の動作制御を司るＣＰＵ１０３と、ＣＰＵ１０３で実行されるプログラムの作業領域等を提供するＲＡＭ１０４と、ＣＰＵ１０３で実行されるプログラムやテーブルデータ等を記憶するＲＯＭ１０５と、外部とのデータの入出力を行うＩ／Ｏ部１０６と、Ｉ／Ｏ部１０６により入力された印刷データの解析を行う印刷データ解析部１０７と、印刷データ解析部１０７の解析結果に基づいて印刷データ（印刷画像データ）の描画を行う印刷画像描画部１０８と、印刷画像描画部１０８により描画される画像データを１ページ分記憶する画像バッファとしてのページ画像記憶部１０９と、ページ画像記憶部１０９に記憶された１ページ分の画像データの印刷を実施する印刷部１１０と、ユーザからの指示或いはホストコンピュータ１５０から送られる指示により暗号／複合化部１１４により暗号化された印刷画像データを一時的或いは恒久的に記憶し他の印刷画像データと組み合わせて印刷を行うための記憶領域としての画像集約記憶部１１１と、画像処理装置１００固有のＩＤ番号を記憶する機器ＩＤ記憶部１１２と、ユーザが所有するカード（使用者カード）から当該ユーザ固有のＩＤ（使用者ＩＤ）を読み取る使用者ＩＤ読込部１１３と、画像データの暗号化／復号化を行う暗号／復号化部１１４と、画像処理装置１００のユーザが画像集約記憶部１１１に記憶されている画像データの印刷を指示するための使用者印刷指示入力部１１５と、使用者カードの使用者ＩＤ読み込み部１１３への挿入の要求を標示する使用者カード要求標示部１１６とを備えている。
【手続補正６】
【補正対象書類名】明細書
【補正対象項目名】００３８
【補正方法】変更
【補正の内容】
【００３８】
ステップＳ２０４：
ステップＳ２０２の判別の結果、ホストコンピュータ１５０からの画像データが「集約記憶指示」である場合（上記図４参照）、例えば、図７に示すような、集約記憶処理を実行する。
ここでの集約記憶処理とは、ホストコンピュータ１５０から送られた印刷データを暗号化して画像集約記憶部１１１に格納する処理である。
【手続補正７】
【補正対象書類名】図面
【補正対象項目名】図２
【補正方法】変更
【補正の内容】
【図２】
2004046638.tif 000001